(57)【要約】【課題】複写機能，印刷機能，原稿読取機能，ファクシミリ送受信機能以外の新たな機能を利用者に提供できる複合機を、提供する。【解決手段】複合機１０の操作ユニット１３は、設定ボタン１３２が押下されたときに液晶ディスプレイ１３３に表示したメニュー画面において、電卓機能が選択されると（Ｓ１０２；電卓機能）、四則演算，平方根，三角関数，逆数などの標準的な演算機能を提供するための標準演算モードと、物理，化学，数学などの学問分野における特定のグラフを表示するという応用的な機能を提供するための関数演算モードとを選択するための演算モード選択画面を、液晶ディスプレイ１３３に表示する。そして、操作ユニット１３は、選択された演算モードに応じた処理を実行する。【選択図】図２
2006276788.tif 000002
【特許請求の範囲】
【請求項１】
業務用機器としての機能を二つ以上有する複合機であって、
利用者からの各種の指示を受け付けるための入力受付部，
各種の画面を表示するための表示部，及び、
演算機能の実行の指示を前記入力受付部が受け付けると、その入力受付部における数値及び演算子の入力を受け付ける処理と、その入力に応じた演算結果を前記表示部に表示する処理とを行う制御部
を備えることを特徴とする複合機。
【請求項２】
用紙に印刷を行うための印刷部を、更に備え、
前記制御部は、前記演算結果を前記表示部に表示する処理を行った後、前記入力受付部において印刷の実行の指示を受け付けたときには、その演算結果の用紙への印刷を前記印刷部に実行させる処理を行う
ことを特徴とする請求項１記載の複合機。
【請求項３】
業務用機器としての機能を二つ以上有する複合機であって、
利用者からの各種の指示を受け付けるための入力受付部，
各種の画面を表示するための表示部，及び、
任意の関数式についてのグラフ描画機能の実行の指示を前記入力受付部が受け付けると、その入力受付部においてその関数式の代入値の入力を受け付ける処理と、その入力に応じた代入値とその関数式とに基づいてグラフデータを生成する処理と、そのグラフデータを所定の座標上にプロットしてなるグラフを前記表示部に表示する処理を行う制御部
を備えることを特徴とする複合機。
【請求項４】
用紙に印刷を行うための印刷部を、更に備え、
前記制御部は、前記グラフを前記表示部に表示する処理を行った後、前記入力受付部において印刷の実行の指示を受け付けたときには、そのグラフの用紙への印刷を前記印刷部に実行させる処理を行う
ことを特徴とする請求項３記載の複合機。
【発明の詳細な説明】
【技術分野】
【０００１】
本発明は、複合機に、関する。
【背景技術】
【０００２】
周知のように、事業を行う場合、印刷機や複写機や原稿読取機やファクシミリ送受信機などの業務用機器が必要となるが、個人商店やＳＯＨＯ等の小規模事務所の室内空間には、比較的余裕がないことが多く、室内に業務用機器を何台も設置できないことがある。このような環境で業務を行う事業者が増えつつあるため、近年、複写機能，印刷機能，原稿読取機能，ファクシミリ送受信機能のうちの幾つか、又は、全部を一台の装置で実現した複合機が、開発されている。
【発明の開示】
【発明が解決しようとする課題】
【０００３】
前述した従来の複合機によれば、業務用機器を何台も設置しなくて済むようになるため、小規模事務所においても、滞りなく業務が行えるようになる。
【０００４】
ところで、最近、複合機の付加価値を高める目的で、事業者の業務に有用な新たな機能を複合機に追加できないかとの検討がなされつつある。そして、この検討は、本出願人においても行われており、新たな機能の付加が模索されていた。
【０００５】
本発明は、前述したような従来の事情に鑑みてなされたものであり、その課題は、複写機能，印刷機能，原稿読取機能，ファクシミリ送受信機能以外の新たな機能を利用者に提供できるようにすることにある。
【課題を解決するための手段】
【０００６】
上記の課題を解決するために発明された複合機の第１の態様は、業務用機器としての機能を二つ以上有する複合機であって、利用者からの各種の指示を受け付けるための入力受付部，各種の画面を表示するための表示部，及び、演算機能の実行の指示を前記入力受付部が受け付けると、その入力受付部における数値及び演算子の入力を受け付ける処理と、その入力に応じた演算結果を前記表示部に表示する処理とを行う制御部を備えることを、特徴としている。
【０００７】
このように構成されると、この複合機を、電卓機能を実現した機器として利用することができることになる。
【０００８】
また、上記の課題を解決するために発明された複合機の第２の態様は、業務用機器としての機能を二つ以上有する複合機であって、利用者からの各種の指示を受け付けるための入力受付部，各種の画面を表示するための表示部，及び、任意の関数式についてのグラフ描画機能の実行の指示を前記入力受付部が受け付けると、その入力受付部においてその関数式の代入値の入力を受け付ける処理と、その入力に応じた代入値とその関数式とに基づいてグラフデータを生成する処理と、そのグラフデータを所定の座標上にプロットしてなるグラフを前記表示部に表示する処理を行う制御部を備えることを、特徴としている。
【０００９】
このように構成されると、この複合機を、グラフ電卓機能を実現した機器として利用することができることになる。
【００１０】
なお、本発明の何れの態様の複合機とも、用紙に印刷を行うための印刷部を備えていれば、演算結果やグラフを用紙に印刷する処理をその印刷部に行わせるように構成することができる。従って、この場合、利用者は、前述した電卓機能やグラフ電卓機能の有用性を高める機能として、この演算結果やグラフを印刷する機能を利用することができることになる。
【発明の効果】
【００１１】
従って、本発明によれば、複写機能，印刷機能，原稿読取機能，ファクシミリ送受信機能以外の新たな機能を利用者に提供できるようになる。
【発明を実施するための最良の形態】
【００１２】
以下、添付図面に基づいて、本発明を実施するための一つの形態である複合機について説明する。
【００１３】
まず、本実施形態の複合機の構成を説明する。
【００１４】
図１は、本実施形態の複合機１０の構成図である。複合機１０は、スキャナ１１，プリンタ１２、及び、操作ユニット１３からなる。スキャナ１１及びプリンタ１２は、何れも、専用のケーブルにて、操作ユニット１３に接続されている。
【００１５】
スキャナ１１は、原稿台上に載せられた原稿に描かれている画像を読み取って、読み取った画像の描画をするための画像データを生成する機器である。このスキャナ１１は、操作ユニット１３との間のデータの遣り取りを制御するための通信インターフェースポートを備える他は、一般的なスキャナと同様に、走査ユニット，及び、コンピュータ（ＣＰＵ，ＲＯＭ，ＲＡＭ，ＥＥＰＲＯＭ，各種インタフェース回路等を組み合わせた装置）を備えている。このため、ここでは、ハードウエア構成の具体的な説明を省略している。なお、このスキャナ１１は、操作ユニット１３に接続しなくても、パーソナルコンピュータの周辺機器として単独で使用できるものとなっている。
【００１６】
プリンタ１２は、画像データに基づく画像を用紙に印刷する機器である。このプリンタ１２は、操作ユニット１３との間のデータの遣り取りを制御するための通信インターフェースポートを備える他、は、一般的なプリンタと同様に、走査ユニット，現像ユニット，転写ユニット，定着ユニット，搬送ユニット，図示せぬホストコンピュータとの間のデータの遣り取りを制御するための通信インターフェースポート，コンピュータ（ＣＰＵ，ＲＯＭ，ＲＡＭ，ＥＥＰＲＯＭ，各種インタフェース回路等を組み合わせた装置）を備えている。このため、ここでは、ハードウエア構成の具体的な説明を省略している。なお、このプリンタ１２は、操作ユニット１３に接続しなくても、パーソナルコンピュータの周辺機器として単独で使用できるものとなっている。
【００１７】
操作ユニット１３は、スキャナ１１及びプリンタ１２を統合的に制御する機器である。具体的なハードウェア構成の説明及び図示は省略するが、この操作ユニット１３は、液晶ディスプレイや各種の押しボタンが取り付けられた基板，スキャナ１１及びプリンタ１２との間のデータの遣り取りを制御するための通信インターフェースポート，図示せぬ変換器との間の電話信号の遣り取りを制御する通信インターフェースポート，それらを制御するコンピュータ（ＣＰＵ，ＲＯＭ，ＲＡＭ，ＥＥＰＲＯＭ，各種インタフェース回路等を組み合わせた装置）からなっている。
【００１８】
なお、図２は、この操作ユニット１３の平面図である。図２に示されるように、操作ユニット１３は、コピーボタン１３１ｃ，ファックスボタン１３１ｆ，スキャンボタン１３１ｓ，設定ボタン１３２，液晶ディスプレイ１３３，十字キーボタン１３４，拡張ボタン１３５，リセットボタン１３６，テンキーボタン１３７，第１スタートボタン１３８ａ，第２スタートボタン１３８ｂ，及び、キャンセルボタン１３９を、少なくとも備えている。
【００１９】
このうち、コピーボタン１３１ｃ，ファックスボタン１３１ｆ，スキャンボタン１３１ｓは、操作ユニット１３の操作モードをコピーモード，ファックスモード，スキャンモードへ移行させようとする利用者によって、押下されるボタンである。設定ボタン１３２は、ファクシミリ送受信先の電話番号の登録などの各種の設定を行おうとする利用者によって、押下されるボタンである。液晶ディスプレイ１３３は、各種の画面を表示するための表示部である。十字キーボタン１３４は、画面上に示された複数の選択肢の何れかにカーソルを移動させるためのボタンである。拡張ボタン１３５は、その操作モードにおける拡張的な機能を動作させようとする利用者によって、押下されるボタンである。リセットボタン１３６は、その時点で入力されている出力条件情報を初期状態に戻そうとする利用者によって、押下されるボタンである。テンキーボタン１３７は、画面に数値を入力しようとする利用者によって、押下されるボタンである。第１スタートボタン１３８ａは、この操作ユニット１３の操作モードがコピーモードである場合において、白黒モノクロでの複写結果を得ようとする利用者によって、押下されるボタンであり、第２スタートボタン１３８ｂは、カラーでの複写結果を得ようとする利用者によって、押下されるボタンである。なお、ファックスモード及びスキャンモードでは、第１スタートボタン１３８ａも第２スタートボタン１３８ｂも、単なるスタートボタンとして同等に機能する。キャンセルボタン１３９は、直前の操作を無効にしてその操作の前の状態に戻ろうとする利用者によって、押下されるボタンである。
【００２０】
次に、以上のことを前提として、本複合機１０が実現する各機能について、説明する。
【００２１】
本複合機１０においては、複写機能，印刷機能，原稿読取機能，ファクシミリ送受信機能が、実現されている。
【００２２】
このうち、複写機能は、操作ユニット１３がスキャナ１１及びプリンタ１２を制御することによって、実現されている。具体的には、操作ユニット１３上のコピーボタン１３１ｃを通じてコピーモードに切り替えられた後、利用者から複写条件（スキャナ１１及びプリンタ１２の制御条件）に関する指定を得て、操作ユニット１３上の第１スタートボタン１３８ａ又は第２スタートボタン１３８ｂが押下されると、その時点で指定されている複写条件を示す情報が、操作ユニット１３に一時記録された後、その操作ユニット１３が、スキャナ１１を制御してそのスキャナ１１から画像データを取得する処理を行う。その後、その操作ユニット１３が、スキャナ１１から取得した画像データと複写条件を含む制御コードとからなるジョブデータを、プリンタ１２へ出力する。プリンタ１２は、そのジョブデータを受け取ると、制御コードの示す出力形態にて、画像データの示す画像を用紙に印刷する。
【００２３】
また、印刷機能は、プリンタ１２によって、実現されている。具体的には、図示せぬホストコンピュータからプリンタ１２に印刷要求が送られてくると、そのプリンタ１２が、その印刷要求に含まれる印刷データに基づいて画像データを生成し、その後、その印刷要求に含まれる制御コードの示す出力形態にて、その画像データの示す画像を用紙に印刷する。
【００２４】
また、原稿読取機能は、操作ユニット１３がスキャナ１１を制御することによって、実現されている。具体的には、操作ユニット１３上のスキャンボタン１３１ｓを通じてスキャナモードに切り替えられた後、利用者から画像データの送信先のコンピュータに関する指定を得て、第１スタートボタン１３８ａ又は第２スタートボタン１３８ｂが押下されると、操作ユニット１３が、スキャナ１１を制御してそのスキャナ１１から画像データを取得する処理を行う。その後、その操作ユニット１３が、スキャナ１１から取得した画像データを、プリンタ１２を通じて、送信先として指定されたコンピュータへ引き渡す。
【００２５】
また、ファクシミリ送受信機能は、操作ユニット１３がスキャナ１１及びプリンタ１２を制御することによって、実現されている。具体的には、ファクシミリ信号が図示せぬ変換器から操作ユニット１３に送られてくると、操作ユニット１３がそのファクシミリ信号に基づいて画像データを生成し、その画像データの示す画像の用紙への印刷をプリンタ１２に行わせる。また、操作ユニット１３上のファックスボタン１３１ｆを通じてファックスモードに切り替えられた後、利用者から画像データの送信先の電話番号に関する指定を得て、図示せぬ原稿台上に載せられた原稿の画像についてのファクシミリ送信の実行指示として、第１スタートボタン１３８ａ又は第２スタートボタン１３８ｂが押下されると、操作ユニット１３が、スキャナ１１を制御してその画像の画像データをスキャナ１１から取得する処理を行い、スキャナ１１から取得した画像データをファクシミリ信号に変換して図示せぬ変換器へ出力する。
【００２６】
次に、以上のように構成される複合機１０において、複写機能，印刷機能，原稿読取機能，ファクシミリ送受信機能以外で実現されている機能について、説明する。
【００２７】
操作ユニット１３は、通常の動作状態において、設定ボタン１３２が押下されると、それをトリガとして、図示せぬＲＯＭ内のプログラムに従った図３に係る処理を、開始する。
【００２８】
処理開始後、操作ユニット１３は、メニュー画面を液晶ディスプレイ１３３に表示し（Ｓ１０１）、メニュー画面に示されている幾つかの機能のうちの何れかが選択されるまで（十字キーでカーソルが任意の選択肢上に移動された後、第１スタートボタン１３８ａ又は第２スタートボタン１３８ｂが押下されるまで）、待機する（Ｓ１０２；ＮＯ）。
【００２９】
そして、メニュー画面に示された幾つかの機能のうち、電卓機能以外の機能が選択された場合（Ｓ１０２；その他）、操作ユニット１３は、その選択された機能に応じた処理を実行し（Ｓ１０３）、図３に係る処理を終了する。
【００３０】
一方、メニュー画面に示された幾つかの機能のうち、電卓機能が選択された場合（Ｓ１０２；電卓機能）、操作ユニット１３は、標準演算モードと関数演算モードとが選択可能に列挙された演算モード選択画面を液晶ディスプレイ１３３に表示し（Ｓ１０４）、何れかの演算モードが選択されるまで（十字キーでカーソルが移動された後、第１スタートボタン１３８ａ又は第２スタートボタン１３８ｂが押下されるまで）、待機する（Ｓ１０５；ＮＯ）。
【００３１】
そして、操作ユニット１３は、演算モード選択画面に列挙された二つの演算モードのうち、標準演算モードが選択された場合（Ｓ１０５；標準演算モード）、後述の通常演算処理を実行して（Ｓ１０６）、図３に係る処理を終了し、関数演算モードが選択された場合（Ｓ１０５；関数演算モード）、後述の関数演算処理を実行して（Ｓ１０７）、図３に係る処理を終了する。
【００３２】
次に、演算モード選択画面において通常演算モードが選択された場合（Ｓ１０６）に実行される通常演算処理について、図４の流れ図を参照しながら、説明する。
【００３３】
処理開始後、操作ユニット１３は、液晶ディスプレイ１３３の表示内容を一旦クリアして、表示領域の左上隅にカーソルを表示した後、通常演算モードで使用可能となるボタン１３４〜１３９のうちの何れかが押下されるまで、待機する（Ｓ２０１；ＮＯ）。
【００３４】
そして、キャンセルボタン１３９が押下された場合（Ｓ２０１；キャンセルボタン）、操作ユニット１３は、図４に係る通常演算処理を終了する。
【００３５】
また、テンキーボタン１３７が押下された場合（Ｓ２０１；テンキーボタン）、操作ユニット１３は、数値入力処理を実行して（Ｓ２０２）、再度、ボタン１３４〜１３９のうちの何れかが押下されるまで待機する状態となる（Ｓ２０１；ＮＯ）。なお、数値入力処理では、押下されたキーボタンに対応する数字が、表示領域内のカーソル位置に表示され、カーソルが、一マス右へ移動する。
【００３６】
また、十字キーボタン１３４又は拡張ボタン１３５が押下された場合（Ｓ２０１；十字キーボタン，拡張ボタン）、操作ユニット１３は、演算子入力処理を実行して（Ｓ２０３）、再度、ボタン１３４〜１３９のうちの何れかが押下されるまで待機する状態となる（Ｓ２０１；ＮＯ）。なお、十字キーボタンのうち、上キーボタンは、乗算の演算子（×）を入力するボタンとして機能し、右キーボタンは、加算の演算子（＋）を入力するボタンとして機能し、下キーボタンは、除算の演算子（÷）を入力するボタンとして機能し、左キーボタンは、減算の演算子（−）を入力するボタンとして機能する。また、拡張ボタン１３５は、その時点でカーソルの左側にある演算式の演算結果を表示するためのボタンとして機能する。そして、演算子入力処理では、押下されたキーボタンに対応する演算子が、表示領域内のカーソル位置に表示され、カーソルが一マス右へ移動する。但し、拡張ボタン１３５が押下されたときには、カーソル位置にイコール（＝）が表示され、そのイコールの右辺に演算結果が表示されるとともに、カーソルが次行の先頭に移動する。
【００３７】
また、リセットボタン１３６が押下された場合（Ｓ２０１；リセットボタン）、操作ユニット１３は、クリアエントリー処理を実行して（Ｓ２０４）、再度、ボタン１３４〜１３９のうちの何れかが押下されるまで待機する状態となる（Ｓ２０１；ＮＯ）。なお、クリアエントリー処理では、カーソルとそのカーソルに直近の演算子との間の数値が削除される。
【００３８】
また、第１スタートボタン１３８ａが押下された場合（Ｓ２０１；スタートボタン１）、操作ユニット１３は、演算子呼出処理を実行して（Ｓ２０５）、再度、ボタン１３４〜１３９のうちの何れかが押下されるまで待機する状態となる（Ｓ２０１；ＮＯ）。なお、演算子呼出処理では、図５に示されるように、平方根，正弦，余弦，正接，対数，逆数などの演算子が記述されたボタンを列挙した演算子選択画面３１が、液晶ディスプレイ１３３に表示される。そして、何れかのボタンが選択されると（十字キーでカーソルが任意の選択肢上に移動された後、第１スタートボタン１３８ａ又は第２スタートボタン１３８ｂが押下されるまで）、そのボタンに記述されている演算子が、表示領域内のカーソル位置に表示され、カーソルが、一マス右へ移動する。
【００３９】
また、第２スタートボタン１３８ｂが押下された場合（Ｓ２０１；第２スタートボタン）、操作ユニット１３は、印刷処理を実行して（Ｓ２０６）、再度、ボタン１３４〜１３９のうちの何れかが押下されるまで待機する状態となる（Ｓ２０１；ＮＯ）。なお、印刷処理では、通常演算処理の開始後から画面に入力されている演算課程及び演算結果の全てを用紙に印刷するための画像データが生成され、その画像データと印刷条件を含む制御コードとからなるジョブデータが、プリンタ１２へ出力される。プリンタ１２は、そのジョブデータを受け取ると、制御コードの示す出力形態にて、画像データの示す画像を用紙に印刷する。
【００４０】
次に、演算モード選択画面において関数演算モードが選択された場合（Ｓ１０７）に実行される関数演算処理について、図６の流れ図を参照しながら、説明する。
【００４１】
処理開始後、操作ユニット１３は、関数式選択画面を液晶ディスプレイ１３３に表示する（Ｓ３０１）。図７は、関数式選択画面３２の一例を示す図である。図７に示されるように、関数式選択画面３２の各行には、物理、化学、数学などの学問分野における特定のグラフを描画するために必要な関数式の名称が、列挙されている。また、この関数式選択画面３２の何れかの行上には、カーソルが配置され、そのカーソルは、十字キーボタン１３４の操作を通じて各行上を移動できるようになっている。
【００４２】
操作ユニット１３は、図７に示されるような関数式選択画面３２を液晶ディスプレイ１３３に表示した後（Ｓ３０１）、この関数式選択画面３２の各行に列挙されている関数式のうちの何れかが選択されるまで（十字キーでカーソルが任意の選択肢上に移動された後、第１スタートボタン１３８ａ又は第２スタートボタン１３８ｂが押下されるまで）、待機する（Ｓ３０２；ＮＯ）。
【００４３】
そして、何れかの関数式が選択されると（Ｓ３０２；ＹＥＳ）、操作ユニット１３は、選択された関数式に対応するプログラムを図示せぬＲＯＭから読み出して、その関数式に係る処理の実行を開始する（Ｓ３０３）。
【００４４】
処理開始後、操作ユニット１３は、入力受付処理を実行する（Ｓ３０４）。この入力受付処理では、例えば、選択された関数式が二次関数ｙ＝ｇｘ２＋ｈであれば、操作ユニット１３は、まず、液晶ディスプレイ１３３の表示内容を一旦クリアして、表示領域の左上隅にカーソルを表示した後、テンキーボタン１３７を通じてｇの代入値の入力を受け付け、その後、第１スタートボタン１３８ａが押下されると、カーソルを次行の先頭に移動させる。続いて、操作ユニット１３は、テンキーボタン１３７を通じてｈの代入値の入力を受け付け、その後、第１スタートボタン１３８ａが押下されると、この入力受付処理を終了する。
【００４５】
操作ユニット１３は、以上に説明した入力受付処理の実行後（Ｓ３０４）、受け付けた代入値と関数式とによりグラフデータ（グラフをプロットするための座標値のデータ）を算出し、そのグラフデータを座標上にプロットしてなるグラフと代入値が代入された関数式とを含む演算結果画面を表示するための画面データを生成する（Ｓ３０５）。
【００４６】
そして、操作ユニット１３は、その生成した画面データに基づいて液晶ディスプレイ１３３に演算結果画面を表示する（Ｓ３０６）。なお、図８及び図９は、この演算結果画面３３の一例を示す図である。但し、この演算結果画面３３は、液晶ディスプレイ１３３に全てが収まらないため、スクロール表示されるようになっている。図８に示される部分は、演算結果画面３３の上側の部分（関数式部分）を示し、図９は、演算結果画面３３の下側の部分（グラフ部分）を示している。また、図８に示されるように、演算結果画面３３には、印刷ボタン３３ａと終了ボタン３３ｂとが、含まれている。印刷ボタン３３ａは、この演算結果画面３３の内容を印刷しようとする利用者によって、押下されるボタンである。一方、終了ボタン３３ｂは、この内容を印刷せずにこの演算結果画面３３を閉じようとする利用者によって、押下されるボタンである。
【００４７】
操作ユニット１３は、このような演算結果画面３３を液晶ディスプレイ１３３に表示した後（Ｓ３０６）、一対のボタン３３ａ，３３ｂのうちの一方が選択されるまで（十字キーでカーソルが任意のボタン上に移動された後、第１スタートボタン１３８ａ又は第２スタートボタン１３８ｂが押下されるまで）、待機する（Ｓ３０７；ＮＯ）。
【００４８】
そして、印刷ボタン３３ａが選択されると（Ｓ３０７；印刷ボタン）、操作ユニット１３は、印刷処理を実行して（Ｓ３０８）、図６に係る関数演算処理を終了する。なお、印刷処理では、演算結果画面３３の内容を印刷するための画像データと印刷条件を含む制御コードとからなるジョブデータが、プリンタ１２へ出力される。プリンタ１２は、そのジョブデータを受け取ると、制御コードの示す出力形態にて、画像データの示す画像を用紙に印刷する。図１０は、その印刷結果の一例を示す図である。
【００４９】
一方、終了ボタン３３ｂが選択されると（Ｓ３０７；終了ボタン）、操作ユニット１３は、前述したような印刷処理を実行することなく、図６に係る関数演算処理を終了する。
【００５０】
従って、液晶ディスプレイ１３３は、前述した表示部に相当し、ボタン１３４〜１３９は、前述した入力受付部に相当し、ステップＳ１０１〜Ｓ１０７，Ｓ２０１〜Ｓ２０６，Ｓ３０１〜Ｓ３０８を実行する操作ユニット１１の図示せぬコンピュータは、前述した制御部に相当している。
【００５１】
次に、本実施形態の複合機１０の効果について説明する。
【００５２】
前述したように、本実施形態の複合機１０によると、利用者は、コピーボタン１３１ｃを押下すれば、複合機１０を複写装置として利用することができ、ファックスボタン１３１ｆを押下すれば、複合機１０をファクシミリ送信装置として利用することができ、スキャンボタン１３１ｓを押下すれば、複合機１０を原稿読取装置として利用することができる。また、前述したように、利用者は、複合機１０をパーソナルコンピュータの印刷装置として利用することができるとともに、ファクシミリ受信装置としても利用することができる。
【００５３】
さらに、利用者は、設定ボタン１３２を押下してメニュー画面を液晶ディスプレイ１３３に表示した後（Ｓ１０１）、電卓機能を選択すれば（Ｓ１０２；電卓機能）、複合機１０を電卓装置として利用することができる。この電卓機能では、利用者は、演算モード選択画面において標準演算モードを選択することにより（Ｓ１０４，Ｓ１０５；標準演算モード）、四則演算，平方根，三角関数，逆数などの標準的な演算機能を利用することができるとともに、演算モード選択画面において関数演算モードを選択することにより（Ｓ１０４，Ｓ１０５；関数演算モード）、物理，化学，数学などの学問分野における特定のグラフを表示するという応用的な機能を利用することができる。
【００５４】
そして、利用者は、何れの演算モードにおいても、その演算過程及び演算結果を、液晶ディスプレイ１３３に表示させるだけでなく、用紙に印刷させることができる（Ｓ２０６，Ｓ３０８）。従って、本実施形態によれば、複写機能，印刷機能，原稿読取機能，ファクシミリ送受信機能以外の新たな機能として、電卓機能とその演算結果を印刷する機能とが、利用者に提供されることとなる。
【図面の簡単な説明】
【００５５】
【図１】本実施形態の複合機の構成図
【図２】操作ユニットの平面図
【図３】設定ボタンの押下をトリガとして開始される処理の流れを示す図
【図４】通常演算処理の流れを示す図
【図５】演算子選択画面の一例を示す図
【図６】関数演算処理の流れを示す図
【図７】関数式選択画面の一例を示す図
【図８】演算結果画面の一例を示す図
【図９】演算結果画面の一例を示す図
【図１０】演算結果としての関数式とグラフとが印刷された用紙の一例を示す図
【符号の説明】
【００５６】
１０      複合機
１１      スキャナ
１２      プリンタ
１３      操作ユニット
１３１ｃ  コピーボタン
１３１ｆ  ファックスボタン
１３１ｓ  スキャンボタン
１３２    設定ボタン
１３３    液晶ディスプレイ
１３４    十字キーボタン
１３５    拡張ボタン
１３６    リセットボタン
１３７    テンキーボタン
１３８ａ  第１スタートボタン
１３８ｂ  第２スタートボタン
１３９    キャンセルボタン
【図１】
2006276788.tif 000003
【図２】
2006276788.tif 000004
【図３】
2006276788.tif 000005
【図４】
2006276788.tif 000006
【図５】
2006276788.tif 000007
【図６】
2006276788.tif 000008
【図７】
2006276788.tif 000009
【図８】
2006276788.tif 000010
【図９】
2006276788.tif 000011
【図１０】
2006276788.tif 000012